(57)【特許請求の範囲】
【請求項１】
排水体（１）の排水系（２）の少なくとも一部として用いられる管であって、管内空間を管の軸線方向に沿って、排水用空間（Ｓ１）と通気用空間（Ｓ２）とに仕切る仕切壁（１３）を備え、
前記軸線方向から見て、排水用空間（Ｓ１）の断面積が通気用空間（Ｓ２）の断面積よりも大きくなっており、
排水方向に関し、前記通気用空間（Ｓ２）の上流側端部には、前記排水用空間（Ｓ１）と通気用空間（Ｓ２）とを連通させる通気口（１４）が、前記仕切壁（１３）における前記軸線方向と平行な部位（１３ｂ）に設けられており、
排水方向に関し、前記通気用空間（Ｓ２）における、前記通気口（１４）の上流側の端部（１３ｃ）が閉塞されていることを特徴とする排水通気管。
【請求項２】
請求項１において、
前記管は、１本の管（１１）とこの１本の管（１１）に対し交差する少なくとも１本の交差管（１２）を有する継手用管であり、前記仕切壁（１３）は、前記１本の管（１１）および交差管（１２）に亘って、該仕切壁（１３）の一面側に前記排水用空間（Ｓ１）を、他面側に前記通気用空間（Ｓ２）を形成していることを特徴とする排水通気管。
【請求項３】
排水体（１）の排水系（２）の少なくとも一部が、請求項１または２に記載の排水通気管（１０）で構成されていることを特徴とする排水通気設備。
【発明の詳細な説明】
【技術分野】
【０００１】
本発明は、排水体（衛生器具等）の排水系の少なくとも一部として用いられる排水通気管と、この排水通気管を用いた排水通気設備に関するものである。
【背景技術】
【０００２】
従来、例えば特許文献１に見られるように、建築物１内部に設置されて、トラップ部３，３，・・・を有する排水器具４，４，・・・と、排水器具４，４，・・・に接続されて排水器具４，４，・・・から発生する排水を集めて排除する排水竪主管５と、排水竪主管５の少なくとも上端に接続され、その一端開口部７を通じて排水竪主管５内を建築物１の外気側に連通させる外気連通管８とを備えて構成される排水通気設備２が知られている。
【０００３】
このような排水通気設備によれば、外気連通管８によって排水竪主管５内部に外気を導入、あるいは、排水竪主管５内の空気を排出することができ、これにより排水竪主管５内部において汚水を流れやすくし、トラップ部３封水を保護する（破水を防止する）ことができる。
【先行技術文献】
【特許文献】
【０００４】
【特許文献１】特開平１０−３１７４４６号公報
【発明の概要】
【発明が解決しようとする課題】
【０００５】
上述した従来の排水通気設備では、排水管５の他に外気連通管８を設ける必要がある。
そのため、外気連通管８を設けるためのスペースが建物内に確保できる場合はよいが、外気連通管８を設けるスペースが十分に確保できない場合には、配管工事が困難または不可能になることがある。
特に、床下スペースに排水管と外気連通管とを設ける場合には、排水管の上方に外気連通管を配置し、排水管と外気連通管とを少なくとも２つの継手管を介して接続する必要があるため、配管工事が困難になったり、不可能であったりすることがある。
【０００６】
本発明が解決しようとする課題は、建物内における排水管用のスペースが狭い場合でも配管工事を容易（または可能）にすることができる排水通気管およびこの排水通気管を用いた排水通気設備を提供することである。
【課題を解決するための手段】
【０００７】
上記課題を解決するために本発明の排水通気管は、
排水体の排水系の少なくとも一部として用いられる管であって、管内空間を管の軸線方向に沿って、排水用空間と通気用空間とに仕切る仕切壁を備え、
前記軸線方向から見て、排水用空間の断面積が通気用空間の断面積よりも大きくなっており、
排水方向に関し、前記通気用空間の上流側端部には、前記排水用空間と通気用空間とを連通させる通気口が、前記仕切壁における前記軸線方向と平行な部位に設けられており、
排水方向に関し、前記通気用空間における、前記通気口の上流側の端部が閉塞されていることを特徴とする。
この排水通気管によれば、管内空間が管の軸線方向に沿って、仕切壁で排水用空間と通気用空間とに仕切られているので、単一の管に、排水機能と通気機能とを持たせることができる。
そのため、従来技術とは異なり、排水管とこれとは別の外気連通管とを継手管を介して接続する必要が無くなるため、建物内における排水管用のスペースが狭い場合でも配管工事を容易（または可能）にすることができる。
【０００８】
また、この排水通気管は、
排水方向に関し、前記通気用空間の上流側端部には、前記排水用空間と通気用空間とを連通させる通気口が、前記仕切壁における前記軸線方向と平行な部位に設けられており、
排水方向に関し、前記通気用空間における、前記通気口の上流側の端部が閉塞されているので、全体としては軸線方向に流れる排水が、前記通気口を介して排水用空間から通気用空間へと流入することを抑制することができる。
【０００９】
また、この排水通気管は、
前記軸線方向から見て、排水用空間の断面積が通気用空間の断面積よりも大きくなっているので、排水用空間を流れる水量と通気用空間を流れる空気量とのバランスを良好に調整することができる。
【００１０】
この排水通気管においては、
前記管は、１本の管とこの１本の管に対し交差する少なくとも１本の交差管を有する継手用管であり、前記仕切壁は、前記１本の管および交差管に亘って、該仕切壁の一面側に前記排水用空間を、他面側に前記通気用空間を形成している構成とすることができる。
このように構成すると、単一の継手管に、排水機能と通気機能とを持たせることができるため、建物内における排水管用のスペースが狭い場合でも配管工事をさらに容易（または可能）にすることができる。
【００１１】
また、上記課題を解決するために本発明の排水通気設備は、
排水体の排水系の少なくとも一部が、請求項１または２に記載の排水通気管で構成されていることを特徴とする。
この排水通気設備によれば、排水体の排水系の少なくとも一部が、請求項１または２に記載の排水通気管で構成されているので、建物内における排水管用のスペースが狭い部位に、請求項１または２に記載の排水通気管を用いることにより、配管工事を容易（または可能）にすることができる。
【図面の簡単な説明】
【００１２】
【図１】本発明に係る排水通気管の実施の形態を示す図で、（ａ）は正断面図、（ｂ）は図（ａ）のｂ−ｂ断面図、（ｃ）は他の実施の形態の正断面図、（ｄ）は図（ｃ）のｄ−ｄ断面図。
【図２】（ａ）は他の実施の形態の正断面図（図（ｂ）のａ−ａ断面図）、（ｂ）は図（ａ）のｂ−ｂ端面図、（ｃ）は図（ａ）のｃ−ｃ端面図。
【図３】（ａ）は他の実施の形態の正断面図、（ｂ）は図（ａ）のｂ−ｂ端面図、（ｃ）は他の実施の形態の正断面図、（ｄ）は図（ｃ）のｄ−ｄ端面図、（ｅ）は他の実施の形態の正断面図、（ｆ）は図（ｅ）のｆ−ｆ端面図。
【図４】本発明に係る排水通気設備の実施の形態を示す図で、（ａ）は概略正面図、（ｂ）は図（ａ）のＡ１部分の拡大断面図。
【図５】本発明に係る排水通気設備の他の実施の形態を示す概略正面図。
【図６】（ａ）は図５のＡ１、Ａ２部分の拡大断面図、（ｂ）は図（ａ）の部分省略平面図。
【図７】変形例の部分拡大断面図。
【発明を実施するための形態】
【００１３】
以下、本発明に係る排水通気管およびこの排水通気管を用いた排水通気設備の実施の形態について図面を参照して説明する。なお、各図において、同一部分ないし相当する部分には、同一の符号を付してある。
【００１４】
図１に示す排水通気管１０は、例えば後述するような排水体（便器、シンク、浴槽等の衛生器具やプール等）１の排水系２（図４〜図６参照）の少なくとも一部として用いられるものである。
図１に示すように、この排水通気管１０は、管内空間Ｓを管の軸線方向（図１（ａ）において左右方向）に沿って、排水用空間Ｓ１と通気用空間Ｓ２とに仕切る仕切壁１３を備えている。
【００１５】
この排水通気管１０によれば、管内空間Ｓが管の軸線方向に沿って、仕切壁１３で排水用空間Ｓ１と通気用空間Ｓ２とに仕切られているので、単一の管１０に、排水機能と通気機能とを持たせることができる。
【００１６】
そのため、従来技術とは異なり、排水管とこれとは別の外気連通管とを継手管を介して接続する必要が無くなるため、例えば、図４，図５に示すように、建物内における排水管用のスペースＳ４が狭い場合でも配管工事を容易（または可能）にすることができる。
【００１７】
軸線方向から見て（図１（ｂ）参照）、排水用空間Ｓ１の断面積は通気用空間Ｓ２の断面積よりも大きくする。このように構成すると、排水用空間Ｓ１を流れる水量と通気用空間Ｓ２を流れる空気量とのバランスを良好に調整することができる。排水用空間Ｓ１の断面積は従来技術において必要とされる排水管の断面積と同等とすることができる。通気用空間Ｓ２の断面積は従来技術において必要とされる通気管の断面積と同等とすることができる。
例えば、管内空間Ｓの断面積に対する排水用空間Ｓ１の断面積は７０％パーセント程度とし、通気用空間Ｓ２の断面積は３０パーセント程度とする。
【００１８】
図１（ｃ）（ｄ）に示すように、この排水通気管１０は、管の軸線方向に関し、通気用空間Ｓ２の少なくとも一端部（図（ｃ）では右端部）に、排水用空間Ｓ１と通気用空間Ｓ２とを連通させる通気口１４が、仕切壁１３における前記軸線方向と平行な部位１３ｂに設けられている構成とすることができる。この場合、通気用空間Ｓ２の通気口１４を設けた側の端部１３ｃは閉塞する。
【００１９】
このように構成すると、全体としては軸線方向に流れる排水が、通気口１４を介して排水用空間Ｓ１から通気用空間Ｓ２へと流入することを抑制することができる。つまり、通気用空間Ｓ２の、水流上流側の端部１３ｃが開口している場合に比べ、通気用空間Ｓ２への水の流入量を抑制することができる。例えば図４（ｂ）において矢印Ｗ１方向へ流れる排水が、通気口１４を介して排水用空間Ｓ１から通気用空間Ｓ２へと流入することを抑制することができる。
【００２０】
図１（ｃ）に示すように、上記のような通気口１４を設けた場合には、通気用空間Ｓ２の通気口１４を設けた側の端部１３ｃは閉塞する。上記のような通気口１４を設けない側の端部１４ｄは開放し、これを通気口（１４ｄ）として利用する。なお、上記のような通気口１４は通気用空間Ｓ２の両端部に設けることもできる（図６の１０Ｂ参照）。図６の１０Ｂに示すように、排水通気管における仕切壁１３（通気用空間Ｓ２）は排気通気管の全長に関し部分的に設けることもできる。
【００２１】
図２に示すように、排水通気管１０は、１本の管１１とこの１本の管１１に対し交差する少なくとも１本の交差管１２を有する継手用管として構成することができる。
この場合、仕切壁１３は、１本の管１１および交差管１２に亘って、該仕切壁１３の一面側１３ｓ１に排水用空間Ｓ１を、他面側１３ｓ２に通気用空間Ｓ２を形成している構成とする。
【００２２】
このように構成すると、単一の継手管１０に、排水機能と通気機能とを持たせることができるため、例えば図５、図６に示すように、建物内における排水管用のスペースＳ４が狭い場合でも配管工事をさらに容易（または可能）にすることができる。
【００２３】
図２に示すものは、仕切壁１３が交差管１２から合流部１５を経て管１１の両側（図２（ａ）（ｂ）において左右）に向けて設けられているものであり、管１１および交差管１２が略水平に位置するような状態（図２（ａ）に示すように通気用空間Ｓ２が排水用空間Ｓ１の上方に位置するような状態）で使用するのに適しているものである。
【００２４】
本願における継手管には、例えば図３に示すような曲管も含まれる。
図３（ａ）（ｂ）に示すものは、通気用空間Ｓ２が排水用空間Ｓ１の上方に位置するように管１０を略水平に配置したとき仕切壁１３も略水平方向に伸びるように仕切壁１３を設けたもので、通気用空間Ｓ２が排水用空間Ｓ１の上方に位置するような状態で使用するのに適している。
【００２５】
図３（ｃ）（ｄ）に示すものは、曲がり部において通気用空間Ｓ２が排水用空間Ｓ１の外側に位置するように仕切壁１３を設けたもので、図３（ｃ）（ｄ）に示すように、排水の流れＷの上流側において通気用空間Ｓ２が排水用空間Ｓ１の上方に位置するような状態で使用するのに適している。
【００２６】
図３（ｅ）（ｆ）に示すものは、曲がり部において通気用空間Ｓ２が排水用空間Ｓ１の内側に位置するように仕切壁１３を設けたもので、図３（ｅ）（ｆ）に示すように、排水の流れＷの下流側において通気用空間Ｓ２が排水用空間Ｓ１の上方に位置するような状態で使用するのに適している。
【００２７】
図４，図５に示す排水通気設備はいずれも、排水体１の排水系２の少なくとも一部が、上述した排水通気管１０（一つまたは二以上の任意の組み合わせ）で構成されていることを特徴とする。
【００２８】
この排水通気設備によれば、排水体１の排水系２の少なくとも一部が、上述した排水通気管１０で構成されているので、建物内における排水管用のスペースＳ４が狭い部位に、上記排水通気管１０を用いることにより、配管工事を容易（または可能）にすることができる。
図４（ａ）において、ＦＬは床面を示しており、Ｓ４は床下スペースを示している。
【００２９】
図４（ａ）に示す排水通気設備は、排水体１からの排水を縦管３および横管４を通じて排水するもので、縦管３にトラップ５が設けられている。縦管３と横管４とは接続管（曲管）６で接続されている。
【００３０】
図４（ｂ）に示すように、上記排水通気管１０は、縦管３と横管４とを接続する接続管である曲管６の下流側に接続されて横管４の一部を構成する下流管（１０）として利用されている。
なお、３ｂは従来同様の縦管、４ｂは従来同様の横管である。
【００３１】
図４に示す排水通気設備によれば、次のような作用効果が得られる。
排水体１からの排水は、矢印Ｗ１で示すように縦管３およびトラップ５を通過した後、接続管６部分で方向を変えて矢印Ｗ２で示すように横管４へと流れるため、排水の流れは、接続管６部分およびそのすぐ下流部分（その概ねの領域を仮想線Ａ１で示す）において大きく乱れる。そのため排水体１からの排水量が所定量を超えると、上記領域Ａ１において局部的に管内空間を満水（あるいは略満水。以下同じ）状態にすることがあり、仮に何らの方策も講じないとすると、満水状態部分の上流側と下流側とで圧力差が生じて管内圧力が不安定になり、トラップ５の破水を招くおそれがある。そこで、従来は、前述したように、通気管を設けて管内圧力の安定化を図っていたが、その課題は前述したとおりである。
【００３２】
これに対し、図４（ｂ）に示す排水通気設備によれば、上記領域Ａ１において排水用空間Ｓ１が局部的に満水状態となり、管内圧力が不安定になろうとしても、上記領域Ａ１の下流側と上流側とが通気用空間Ｓ２で連通しているため、管内圧力が安定化することとなる。したがって、排水用空間Ｓ１が局部的に満水状態となっても管内圧力が安定化し、トラップ５の破水を招くおそれもなくなる。
【００３３】
図５に示す排水通気設備が図４に示した排水通気設備と異なる点は、排水体１が複数（図示のものは２個）設けられている点である。
このような場合、図６に示すように、少なくとも１つの排水体１’の縦管３は継手管７を介して横管４に接続されるので、上記領域Ａ１に加え、継手管７における合流部１５およびそのすぐ下流部分（その概ねの領域を仮想線Ａ２で示す）においても水流が大きく乱れ、領域Ａ２においても局部的な満水状態が発生するおそれがある。
【００３４】
そこでこの実施の形態では、図６に示すように、図４（ｂ）で説明した構成に加え、継手管として、図１（ｃ）（ｄ）に示した排水通気管１０と、その下流側に接続した、図２に示した継手管１０（１０Ｊ）を利用するとともに、その下流側に図１（ａ）に示した排水通気管１０を接続した。
この実施の形態によっても、上述したと同様、上記領域Ａ２において排水用空間Ｓ１が局部的に満水状態となり管内圧力が不安定になろうとしても、上記領域Ａ２の下流側と上流側とが通気用空間Ｓ２で連通しているため、管内圧力が安定化することとなる。
なお、曲管６の下流側には、通気口１４を通気用空間Ｓ２の両端部に設けたタイプの排水通気管１０Ｂを設け、排水合流部１５から通気口１４を介して通気用空間Ｓ２へ流入しようとする水流を抑制した。
【００３５】
以上、本発明の実施の形態について説明したが、本発明は上記の実施の形態に限定されるものではなく、本発明の要旨の範囲内において適宜変形実施可能である。
例えば図７に示すように、最上流側に設けられる排水体１’’が、大量（長時間）の排水を行うプール、浴槽等である場合には、中間に位置する排水体１のための排水通気設備における通気用空間Ｓ２に対し、配置スペースＳ５を確保できる領域において、大気に開放された通気管８を接続して、プール、浴槽等１’’からの排水期間中における、中間に位置する排水体１の安定した排水動作を確保するようにすることもできる。
【符号の説明】
【００３６】
Ｓ：    管内空間
Ｓ１：    排水用空間
Ｓ２：    通気用空間
１：    排水体
２：    排水系
１０：    排水通気管
１２：    交差管
１３：    仕切壁
１４：    通気口
【要約】
【課題】  本発明が解決しようとする課題は、建物内における排水管用のスペースが狭い場合でも配管工事を容易（または可能）にすることができる排水通気管およびこの排水通気管を用いた排水通気設備を提供する。
【解決手段】排水体（１）の排水系（２）の少なくとも一部として用いられる管であって、管内空間（Ｓ）を管の軸線方向に沿って、排水用空間（Ｓ１）と通気用空間（Ｓ２）とに仕切る仕切壁（１３）を備えていることで、単一の管（１０）に、排水機能と通気機能とを持たせることができる。
【選択図】図４【図１】
0005815905.tif 000002
【図２】
0005815905.tif 000003
【図３】
0005815905.tif 000004
【図４】
0005815905.tif 000005
【図５】
0005815905.tif 000006
【図６】
0005815905.tif 000007
【図７】
0005815905.tif 000008